(57)【要約】      （修正有）【課題】最も物体側に配置されたレンズの外径をより小さくするとともに、より像面湾曲を抑え、中心から周辺部まで高解像度である広角撮像レンズ及び広角撮影レンズを備える撮像装置を提供する。【解決手段】広角撮像レンズ系１１は、物体側から順に、物体側から順に、像側に凹を向けた負の第１レンズＬ１と、物体側に凹を向けたメニスカス形状の第２レンズＬ２と、光軸近傍で両凸形状を有する正の第３レンズＬ３と、絞りＳＴＯＰと、像側レンズ面が正の曲率を有する第４レンズＬ４と、物体側レンズ面が正の曲率を有し、像側レンズ面が負の曲率を有する第５レンズＬ５と、物体側レンズ面が負の曲率を有する第６レンズＬ６と、から構成される。【選択図】図１
2020008871.tif 000002
【特許請求の範囲】
【請求項１】
物体側から順に、像側に凹を向けた負の第１レンズと、物体側に凹を向けたメニスカス形状の第２レンズと、光軸近傍で両凸形状を有する正の第３レンズと、絞りと、像側レンズ面が正の曲率を有する第４レンズと、物体側レンズ面が正の曲率を有し、像側レンズ面が負の曲率を有する第５レンズと、物体側レンズ面が負の曲率を有する第６レンズと、から構成される広角撮像レンズ系。
【請求項２】
前記第４レンズの物体側レンズ面が負の曲率を有することを特徴とする請求項１に記載の広角撮像レンズ系。
【請求項３】
前記第４レンズが負レンズであることを特徴とする請求項１に記載の広角撮像レンズ系。
【請求項４】
前記第４レンズの物体側レンズ面が非球面であることを特徴とする請求項１に記載の広角撮像レンズ系。
【請求項５】
前記第５レンズが正レンズであることを特徴とする請求項１に記載の広角撮像レンズ系。
【請求項６】
前記第５レンズの少なくとも片方の面が非球面であることを特徴とする請求項１に記載の広角撮像レンズ系。
【請求項７】
前記第６レンズが負レンズであることを特徴とする請求項１に記載の広角撮像レンズ系。
【請求項８】
前記第６レンズの像側レンズ面が負の曲率を有することを特徴とする請求項１に記載の広角撮像レンズ系。
【請求項９】
前記第６レンズの少なくとも片方の面が非球面であることを特徴とする請求項１に記載の広角撮像レンズ系。
【請求項１０】
請求項１に記載の撮像レンズ系と、前記撮像レンズ系の焦点位置に配置された撮像素子と、を有する撮像装置。
【発明の詳細な説明】
【技術分野】
【０００１】
本発明は、広角撮像レンズ系及び撮像装置に関する。
【背景技術】
【０００２】
近年、自動車搭載用途の撮像レンズ系として、広視野に対応したレンズが必要とされている。自動車搭載用途の撮像レンズ系として、例えば、自動車を運転するときの安全性を確保するためのフロント、バック、及びサイドを確認するための車載カメラに用いられる撮像レンズ系がある。
【０００３】
車載カメラの撮像レンズ系には、視界が極めて広く、かつ、高い解像力を有するとともに、さらに、Ｆ値が２．０程度の明るい撮像レンズ系であることが求められる。また、車載カメラ用の撮像レンズ系では、コンパクトさも求められる。
【０００４】
特許文献１には、物体側から順に、負のパワーを有する第１レンズ、負のパワーを有する第２レンズ、正のパワーを有する第３レンズ、絞り、正のパワーを有する第４レンズ、負のパワーを有する第５レンズから構成される撮像レンズ系が記載されている。
【先行技術文献】
【特許文献】
【０００５】
【特許文献１】特開２０１４−８９２４１号公報
【発明の概要】
【発明が解決しようとする課題】
【０００６】
特許文献１に記載の撮像レンズ系は、広角で、明るく、かつ高い結像性能を有する。しかし、車載カメラに用いられる撮像レンズ系では、車両に搭載した際になるべく目立たなくするために、最も物体側に配置されたレンズの外径をより小型化することが望まれている。それとともに、使用される撮像素子の画素数の増大に伴って、車載カメラの撮像レンズ系にはより高い解像力が要求されている。高解像力を実現するためには、撮像素子の中心から周辺までの領域で像面湾曲を良好に補正する必要がある。
【０００７】
本発明は、最も物体側に配置されたレンズの外径をより小さくするとともに、より像面湾曲を抑え、中心から周辺部まで高解像度である広角撮像レンズ及び広角撮影レンズを備える撮像装置を提供することを目的とする。
【課題を解決するための手段】
【０００８】
本発明の広角撮像レンズ系は、
物体側から順に、
像側に凹を向けた負の第１レンズと、
物体側に凹を向けたメニスカス形状の第２レンズと、
光軸近傍で両凸形状を有する正の第３レンズと、
絞りと、
負レンズである第４レンズと、
正レンズである第５レンズと、
少なくとも片方の面が非球面を有する第６レンズと、から構成される。
【０００９】
本発明の広角撮像レンズ系では、第２レンズを物体側に凹形状とすることによって第１レンズの有効径を小さくできる。さらに、第２レンズを物体側に凹面を向けたメニスカス形状にすることによって、像面湾曲が補正できるので、良好な結像性能を得ることができる。これにより、最も物体側に配置されたレンズの外径をより小さくするとともに、より像面湾曲を抑え、中心から周辺部まで高解像度である広角撮像レンズ系を提供できる。
【００１０】
本発明の広角撮像レンズ系は、前記第１レンズの焦点距離をｆ１、前記第３レンズの焦点距離をｆ３としたときに、下記の条件式（１）を満たすことが好ましい。
０．８＜|ｆ１/ｆ３|＜１．２    ・・・（１）
【００１１】
この構成によれば、条件式（１）を満たすことにより、長いバックフォーカスを確保しつつ、コマ収差及び像面湾曲を抑えるとともに、レンズ系の全長が長くならない。条件式（１）の上限値を上回ると、第３レンズの正のパワーが第１レンズの負のパワーに対して大きくなるため、像面が倒れ、バックフォーカスを長くすることが困難となる。条件式（１）の下限値を下回ると、第１レンズの負のパワーが第３レンズの正のパワーに対して大きくなるため、バックフォーカスの確保は容易になるが、撮像レンズ系の全長が長くなるとともに、第１レンズのパワーが大きくなることによって発生した収差を補正するのが困難となる。
【００１２】
また、本発明の広角撮像レンズ系は、下記の条件式（２）を満たすことが好ましい。
０．９＜|ｆ１/ｆ３|＜１．１    ・・・（２）
【００１３】
本発明の広角撮像レンズ系は、全系の焦点距離をｆ、前記第２レンズの焦点距離をｆ２としたときに、下記の条件式（３）を満たすことが好ましい。
０＜ｆ/ｆ２＜０．２      （３）
【００１４】
条件式（３）は像面補正を行うための条件式である。物体側に凹面を向けた状態で条件式（３）の下限値を下回ると、第２レンズの負のパワーが大きくなるので、歪曲収差が増大し、画角のコントロールが困難になる。条件式（３）の上限値を上回ると、第２レンズの正のパワーが大きくなるので、像面倒れが増大し、結像性能が悪化する。したがって、この構成によれば、条件式（３）を満たすことにより、歪曲収差の増大を防ぎ、像面補正を行うことができる。
【００１５】
また、本発明の広角撮像レンズ系は、下記の条件式（４）を満たすことが好ましい。
０．０５＜ｆ/ｆ２＜０．１５        ・・・（４）
【００１６】
本発明の広角撮像レンズ系は、前記第４レンズの焦点距離をｆ４、前記第５レンズの焦点距離をｆ５としたときに、下記の条件式（５）を満たすことが好ましい。
−１．８＜ｆ４/ｆ５＜−１．０        ・・・（５）
【００１７】
条件式（５）は色収差を補正するための条件式である。条件式（５）の下限値を下回ると、第４レンズの負のパワーが第５レンズの正のパワーに対して小さくなるので、色収差補正が不足し、結像性能が劣化する。条件式（５）の上限値を上回ると、第４レンズの負のパワーが第５レンズの正のパワーに対して大きくなるので、色収差補正が過剰となり、結像性能が劣化する。したがって、この構成によれば、条件式（５）を満たすことにより、適切な色収差補正を行い、結像性能の劣化を防ぐことができる。
【００１８】
また、本発明の広角撮像レンズ系は、下記の条件式（６）を満たすことが好ましい。
−１．６＜ｆ４/ｆ５＜−１．２        ・・・（６）
【００１９】
本発明の広角撮像レンズ系は、全系の焦点距離をｆ、前記第１レンズの焦点距離をｆ１としたときに、下記の条件式（７）を満たすことが好ましい。
１．８＜｜ｆ１/ｆ｜＜２．１        ・・・（７）
【００２０】
条件式（７）は撮像レンズ系の全長を規定するものである。条件式（７）の下限値を下回ると、第１レンズの負のパワーがレンズ全系のパワーに対して大きくなるので、撮像レンズ系の全長の増大を招く。条件式（７）の上限値を上回ると、第１レンズの負のパワーがレンズ全系のパワーに対して小さくなるので、所定のバックフォーカスを確保することが難しい。したがって、この構成によれば、条件式（７）を満たすことにより、撮像レンズ系の全長の増大を防ぎつつ、所定のバックフォーカスを確保することができる。
【００２１】
また、本発明の広角撮像レンズ系は、下記の条件式（８）を満たすことが好ましい。
１．９＜｜ｆ１/ｆ｜＜２．０        ・・・（８）
【００２２】
本発明の広角撮像レンズ系は、前記第１レンズの像側面の曲率半径をＲ２、前記第２レンズの物体側面の曲率半径をＲ３としたときに、下記の条件式（９）を満たすことが好ましい。
−１．２＜Ｒ２/Ｒ３＜−０．４        ・・・（９）
【００２３】
条件式（９）はコマ収差、像面湾曲及び歪曲収差を規定するものである。条件式（９）の下限値を下回ると、像面が倒れるので、像面湾曲の補正が困難となる。条件式（９）の上限値を上回ると、歪曲収差の増大を招くため、画角のコントロールが困難になる。したがって、この構成によれば、条件式（９）を満たすことにより、像面湾曲を補正し、且つ歪曲収差の増大を防ぐことができる。
【００２４】
また、本発明の広角撮像レンズ系は、下記の条件式（１０）を満たすことが好ましい。
−１．０＜Ｒ２/Ｒ３＜−０．６        ・・・（１０）
【００２５】
本発明の広角撮像レンズ系は、前記第１レンズの焦点距離をｆ１、前記第２レンズと前記第３レンズの合成焦点距離をｆ２３、前記第１レンズ、前記第２レンズ、前記第３レンズのアッベ数をそれぞれνｄ１、νｄ２、νｄ３としたときに、下記の条件式（１１）（１２）を満たすことが好ましい。
−１．１＜ｆ１/ｆ２３＜−０．９        ・・・（１１）
３５＜（νｄ１＋νｄ２＋νｄ３）／３＜６０        ・・・（１２）
【００２６】
本発明の広角撮像レンズ系は、条件式（１１）を満足することにより、撮像レンズ系の全長を短く保ちながら、バックフォーカスを確保できるとともに、良好な色収差補正が可能となる。条件式（１１）の上限値を上回ると、バックフォーカスの確保には有利であるが、色収差補正が困難になるとともに、撮像レンズ系の全長が長くなってしまう。条件式（１１）の下限値を下回ると、色収差補正が過剰になるとともに、バックフォーカスの確保が困難となる。また、条件式（１１）、（１２）を同時に満たすことによって、良好な色収差補正が可能となる。
【００２７】
本発明の広角撮像レンズ系は、全系の焦点距離をｆ、前記第２レンズと前記第３レンズの合成焦点距離をｆ２３としたときに、下記の条件式（１３）を満たすことが好ましい。
１．３＜ｆ２３/ｆ＜１．６５        ・・・（１３）
【００２８】
本発明の広角撮像レンズ系は、条件式（１３）を満足することによって、長いバックフォーカスを確保できるとともに、良好な色収差補正が可能となる。条件式（１３）の下限値を下回ると、軸上色収差及び倍率色収差の低減には効果的であるが、バックフォーカスの確保が困難となる。条件式（１３）の上限値を上回ると、バックフォーカスを長くしやすくなるが、色収差を良好に補正することが難しくなる。
【００２９】
また、本発明の広角撮像レンズ系は、下記の条件式（１４）を満たすことが好ましい。
１．４＜ｆ２３/ｆ＜１．５５        ・・・（１４）
【００３０】
本発明の撮像装置は、
上述の撮像レンズ系と、
前記撮像レンズ系の焦点位置に配置された撮像素子と、を有する。
【発明の効果】
【００３１】
本発明によれば、最も物体側に配置されたレンズの外径をより小さくするとともに、より像面湾曲を抑え、中心から周辺部まで高解像度である広角撮像レンズ及び広角撮影レンズを備える撮像装置を提供することができる。
【図面の簡単な説明】
【００３２】
【図１】実施例１に係る撮像レンズ系の断面図である。
【図２】実施例１に係る撮像レンズ系の収差図である。
【図３】実施例２に係る撮像レンズ系の断面図である。
【図４】実施例２に係る撮像レンズ系の収差図である。
【図５】実施例３に係る撮像レンズ系の断面図である。
【図６】実施例３に係る撮像レンズ系の収差図である。
【図７】実施の形態に係る撮像装置の断面図である。
【発明を実施するための形態】
【００３３】
以下、本発明の実施の形態に係る広角撮像レンズ系１１の実施例について説明する。
【００３４】
［実施例１］
図１は、実施例１の広角撮像レンズ系１１の構成を示す図である。図１に示すように、実施例１の広角撮像レンズ系１１は、物体側から順に、像側に凹形状を有し、負のパワーを有する第１レンズＬ１と、物体側に凹面を向けたメニスカス形状の第２レンズＬ２と、光軸Ｚ近傍で両凸形状を有し、正のパワーを有する第３レンズＬ３と、絞りＳＴＯＰと、負のパワーを有する第４レンズＬ４と、正のパワーを有する第５レンズＬ５と、少なくとも一方のレンズ面が非球面を有する第６レンズＬ６と、から構成される。広角撮像レンズ系１１の結像面はＩＭＧで示されている。実施例１の広角撮像レンズ系１１では、第２レ
ンズＬ２、第４レンズＬ４、第５レンズＬ５及び第６レンズＬ６はプラスチックレンズであり、第１レンズＬ１及び第３レンズＬ３はガラスレンズである。
【００３５】
第１レンズＬ１は、負のパワーを有する球面メニスカスレンズである。第１レンズＬ１の物体側レンズ面Ｓ１は平面であり、像側レンズ面Ｓ２は正の曲率を有する球面である。像側レンズ面Ｓ２は物体側に窪む凹形状の曲面部分を有している。
【００３６】
第２レンズＬ２は、正のパワーを有する非球面レンズである。第２レンズＬ２の物体側レンズ面Ｓ３は負の曲率を有する非球面であり、像側レンズ面Ｓ４は負の曲率を有する非球面である。物体側レンズ面Ｓ３は像側に窪む凹形状の曲面部分を有している。像側レンズ面Ｓ４は像側に突出する凸形状の曲面部分を有している。
【００３７】
第３レンズＬ３は、正のパワーを有する球面レンズである。物体側レンズ面Ｓ５は正の曲率を有する球面であり、像側レンズ面Ｓ６は負の曲率を有する球面である。物体側レンズ面Ｓ５は物体側に突出する凸形状の曲面部分を有しており、像側レンズ面Ｓ６は像側に突出する凸形状の曲面部分を有している。
【００３８】
第１レンズＬ１は、大きい入射角からの入射光線を光軸Ｚに沿った小さい角度に変換する働きを有する。第１レンズＬ１の像側レンズ面Ｓ２は、光線を拡げるために、負のパワーを有する。第２レンズＬ２は、物体側に凹面を向けたメニスカス形状なので、像面湾曲を良好に補正できる。第３レンズＬ３は、物体側に凸形状の正レンズであり、第１レンズＬ１で発散された光線を収束させる働きを有する。
【００３９】
第４レンズＬ４は、負のパワーを有する非球面レンズである。第４レンズＬ４の物体側レンズ面Ｓ８は負の曲率を有する非球面であり、像側レンズ面Ｓ９は正の曲率を有する非球面である。物体側レンズ面Ｓ８は像側に窪む凹形状の曲面を有している。像側レンズ面Ｓ９は物体側に窪む凹形状の曲面を有している。
【００４０】
第５レンズＬ５は、正のパワーを有する非球面レンズである。第５レンズＬ５の物体側レンズ面Ｓ１０は正の曲率を有する非球面であり、像側レンズ面Ｓ１１は負の曲率を有する非球面である。物体側レンズ面Ｓ１０は物体側に突出する凸形状の曲面部分を有している。像側レンズ面Ｓ１１は像側に突出する凸形状の曲面部分を有している。第５レンズＬ５の物体側レンズ面Ｓ１０は、第４レンズＬ４の像側レンズ面Ｓ９と接着剤により貼り合わされている。
【００４１】
第６レンズＬ６は、負のパワーを有する非球面レンズである。第６レンズＬ６の物体側レンズ面Ｓ１２は負の曲率を有する非球面であり、像側レンズ面Ｓ１３は負の曲率を有する非球面である。物体側レンズ面Ｓ１２は像側に窪んだ凹形状の曲面部分を有している。像側レンズ面Ｓ１３は像側に突出する凸形状の曲面部分を有している。
【００４２】
第４レンズＬ４は負のパワーを有する、分散の大きいレンズである。第５レンズＬ５は正のパワーを有する、分散の小さいレンズである。よって、第４レンズＬ４と第５レンズＬ５とを組み合わせることによって、軸上色収差及び倍率色収差を補正することができる。
【００４３】
カバーガラス１２は、撮像素子を保護するためのガラス板である。カバーガラス１２は、広角撮像レンズ系１１の設計時には、広角撮像レンズ系１１と一体として扱われる。しかし、カバーガラス１２は、広角撮像レンズ系１１の必須の構成要素ではない。
【００４４】
表１に、広角撮像レンズ系１１の各レンズ面のレンズデータを示す。レンズデータとし
ては、各面の曲率半径、面間隔、屈折率、及びアッベ数を載せている。「＊印」がついた面は、非球面であることを示している。
【００４５】
【表１】
2020008871.tif 000003
【００４６】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれＡ４、Ａ６、Ａ８、Ａ１０、Ａ１２、Ａ１４、Ａ１６としたときに、次式により表わされる。
【００４７】
【数１】
2020008871.tif 000004
【００４８】
表２に、実施例１の広角撮像レンズ系１１において、非球面とされたレンズ面の非球面形状を規定するための非球面係数を示す。表２において、例えば「−１．６７３４８１Ｅ−０３」は、「−１．６７３４８１×１０−３」を意味する。
【００４９】
【表２】
2020008871.tif 000005
【００５０】
図２（ａ）〜（ｃ）は、実施例１の広角撮像レンズ系１１の縦収差図、像面湾曲図、歪曲収差図である。図２（ａ）〜（ｃ）に示すように、実施例１の広角撮像レンズ系１１では、半画角ωが６７．５°、Ｆ値が２．０である。図２（ａ）の縦収差図では、横軸は光線が光軸Ｚと交わる位置を示し、縦軸は瞳径での高さを示す。図２（ｂ）の像面湾曲図では、横軸は光軸Ｚ方向の距離を示し、縦軸は像高（画角）を示す。図２（ｂ）において、Ｓａｇはサジタル面における像面湾曲を示し、Ｔａｎはタンジェンシャル面における像面湾曲を示す。図２（ｃ）の歪曲収差図では、横軸は像の歪み量（％）を示し、縦軸は像高（画角）を示す。図２（ａ）では、波長６５６ｎｍ、５４６ｎｍ及び４３６ｎｍの光線によるシミュレーション結果を示してあり、図２（ｂ）及び（ｃ）では、波長５４６ｎｍの光線によるシミュレーション結果を示してある。
【００５１】
表３に、実施例１の広角撮像レンズ系１１の特性値を計算した結果を示す。広角撮像レンズ系１１において、Ｆ値をＦＮｏ、第１レンズＬ１の物体側レンズ面Ｓ１から広角撮像レンズ系１１の結像面ＩＭＧまでの距離を「光学全長」、レンズ全系の焦点距離をｆ、第１レンズＬ１の焦点距離をｆ１、第２レンズＬ２の焦点距離をｆ２、第３レンズＬ３の焦点距離をｆ３、第４レンズＬ４の焦点距離をｆ４、第５レンズＬ５の焦点距離をｆ５、第６レンズＬ６の焦点距離をｆ６、としたときのこれらの特性値は、表３に示す通りである。各種の焦点距離は、５４６ｎｍの波長の光線を用いて計算した。
【００５２】
【表３】
2020008871.tif 000006
【００５３】
［実施例２］
図３は、実施例２の広角撮像レンズ系１１の構成を示す図である。図３に示すように、第１レンズＬ１〜第６レンズＬ６は、実施例１と同様の形状をしている。実施例２の広角撮像レンズ系１１では、第２レンズＬ２、第４レンズＬ４、第５レンズＬ５及び第６レンズＬ６はプラスチックレンズであり、第１レンズＬ１及び第３レンズＬ３はガラスレンズである。
【００５４】
表４に、実施例２の広角撮像レンズ系１１の各レンズ面のレンズデータを示す。
【００５５】
【表４】
2020008871.tif 000007
【００５６】
表５に、実施例２の広角撮像レンズ系１１において、非球面とされたレンズ面の非球面形状を規定するための非球面係数を示す。
【００５７】
【表５】
2020008871.tif 000008
【００５８】
図４（ａ）〜（ｃ）は、実施例２の広角撮像レンズ系１１の縦収差図、像面湾曲図、歪曲収差図である。図４（ａ）〜（ｃ）に示すように、実施例２の広角撮像レンズ系１１では、半画角ωが６８．２°、Ｆ値が２．０である。
【００５９】
表６に、実施例２の広角撮像レンズ系１１の特性値を計算した結果を示す。
【００６０】
【表６】
2020008871.tif 000009
【００６１】
［実施例３］
図５は、実施例３の広角撮像レンズ系１１の構成を示す図である。第１レンズＬ１〜第５レンズＬ５は、実施例１と同様の形状をしている。第６レンズＬ６の形状は、実施例１と異なっている。
【００６２】
第６レンズＬ６は、負のパワーを有する非球面レンズである。第６レンズＬ６の物体側レンズ面Ｓ１２は負の曲率を有する非球面であり、像側レンズ面Ｓ１３は正の曲率を有する非球面である。物体側レンズ面Ｓ１２は光軸Ｚの近傍で像側に窪む凹形状の曲面部分を有している。像側レンズ面Ｓ１３は光軸Ｚの近傍で物体側に窪む凹形状の曲面部分を有している。
【００６３】
実施例３の広角撮像レンズ系１１では、第２レンズＬ２、第４レンズＬ４、第５レンズＬ５及び第６レンズＬ６はプラスチックレンズであり、第１レンズＬ１及び第３レンズＬ３はガラスレンズである。
【００６４】
表７に、実施例３の広角撮像レンズ系１１の各レンズ面のレンズデータを示す。
【００６５】
【表７】
2020008871.tif 000010
【００６６】
表８に、実施例３の広角撮像レンズ系１１において、非球面とされたレンズ面の非球面形状を規定するための非球面係数を示す。
【００６７】
【表８】
2020008871.tif 000011
【００６８】
図６（ａ）〜（ｃ）は、実施例３の広角撮像レンズ系１１の縦収差図、像面湾曲図、歪曲収差図である。図６（ａ）〜（ｃ）に示すように、実施例３の広角撮像レンズ系１１では、半画角ωが６７．１°、Ｆ値が２．０である。
【００６９】
表９に、実施例３の広角撮像レンズ系１１の特性値を計算した結果を示す。
【００７０】
【表９】
2020008871.tif 000012
【００７１】
［条件式のまとめ］
表１０に、実施例１〜３の広角撮像レンズ系１１において、条件式（１）から（１４）に用いられる種々のパラメータを計算した結果を示す。第２レンズＬ２と第３レンズＬ３との合成焦点距離をｆ２３、第４レンズＬ４と第５レンズＬ５との合成焦点距離をｆ４５、第１レンズＬ１の像側レンズ面の曲率半径をＲ２、第２レンズＬ２の物体側レンズ面の曲率半径をＲ３、第１レンズＬ１のアッベ数をνｄ１、第２レンズＬ２のアッベ数をνｄ２、第３レンズＬ３のアッベ数をνｄ３として、種々のパラメータを計算している。
【００７２】
【表１０】
2020008871.tif 000013
【００７３】
このように、本実施の形態の広角撮像レンズ系は、物体側から順に、像側に凹を向けた負の第１レンズと、物体側に凹を向けたメニスカス形状の第２レンズと、光軸近傍で両凸形状を有する正の第３レンズと、絞りと、負レンズである第４レンズと、正レンズである第５レンズと、少なくとも片方の面が非球面を有する第６レンズと、から構成される広角撮像レンズ系において、第２レンズを物体側に凹形状とすることによって第１レンズの有効径を小さくできる。さらに、第２レンズを物体側に凹面を向けたメニスカス形状にすることによって、像面湾曲が補正できる。これにより、最も物体側に配置されたレンズの外径をより小さくするとともに、より像面湾曲を抑え、中心から周辺部まで高解像度である広角撮像レンズ系を提供できる。
【００７４】
本実施の形態の広角撮像レンズ系は、前記第１レンズの焦点距離をｆ１、前記第３レンズの焦点距離をｆ３としたときに、下記の条件式（１）を満たすことにより、長いバックフォーカスを確保しつつ、コマ収差及び像面湾曲を抑えるとともに、レンズ系の全長が長くならない。
０．８＜|ｆ１/ｆ３|＜１．２    ・・・（１）
【００７５】
また、本実施の形態の広角撮像レンズ系は、下記の条件式（２）を満たすことが好ましい。
０．９＜|ｆ１/ｆ３|＜１．１    ・・・（２）
【００７６】
本実施の形態の広角撮像レンズ系は、全系の焦点距離をｆ、前記第２レンズの焦点距離をｆ２としたときに、下記の条件式（３）を満たすことにより、歪曲収差の増大を防ぎ、像面補正を行うことができる。
０＜ｆ/ｆ２＜０．２      （３）
【００７７】
また、本実施の形態の広角撮像レンズ系は、下記の条件式（４）を満たすことが好ましい。
０．０５＜ｆ/ｆ２＜０．１５        ・・・（４）
【００７８】
本実施の形態の広角撮像レンズ系は、前記第４レンズの焦点距離をｆ４、前記第５レンズの焦点距離をｆ５としたときに、下記の条件式（５）を満たすことにより、適切な色収差補正を行い、結像性能の劣化を防ぐことができる。
−１．８＜ｆ４/ｆ５＜−１．０        ・・・（５）
【００７９】
また、本実施の形態の広角撮像レンズ系は、下記の条件式（６）を満たすことが好ましい。
−１．６＜ｆ４/ｆ５＜−１．２        ・・・（６）
【００８０】
本実施の形態の広角撮像レンズ系は、全系の焦点距離をｆ、前記第１レンズの焦点距離をｆ１としたときに、下記の条件式（７）を満たすことにより、撮像レンズ系の全長の増大を防ぎつつ、所定のバックフォーカスを確保することができる。
１．８＜｜ｆ１/ｆ｜＜２．１        ・・・（７）
【００８１】
また、本実施の形態の広角撮像レンズ系は、下記の条件式（８）を満たすことが好ましい。
１．９＜｜ｆ１/ｆ｜＜２．０        ・・・（８）
【００８２】
本実施の形態の広角撮像レンズ系は、前記第１レンズの像側面の曲率半径をＲ２、前記第２レンズの物体側面の曲率半径をＲ３としたときに、下記の条件式（９）を満たすことにより、コマ収差、像面湾曲を補正し、且つ歪曲収差の増大を防ぐことができる。
−１．２＜Ｒ２/Ｒ３＜−０．４        ・・・（９）
【００８３】
また、本実施の形態の広角撮像レンズ系は、下記の条件式（１０）を満たすことが好ましい。
−１．０＜Ｒ２/Ｒ３＜−０．６        ・・・（１０）
【００８４】
本実施の形態の広角撮像レンズ系は、前記第１レンズの焦点距離をｆ１、前記第２レンズと前記第３レンズの合成焦点距離をｆ２３、前記第１レンズ、前記第２レンズ、前記第３レンズのアッベ数をそれぞれνｄ１、νｄ２、νｄ３としたときに、下記の条件式（１１）（１２）を満たすことにより、撮像レンズ系の全長を短く保ちながら、バックフォーカスを確保できるとともに、良好な色収差補正が可能となる。
−１．１＜ｆ１/ｆ２３＜−０．９        ・・・（１１）
３５＜（νｄ１＋νｄ２＋νｄ３）／３＜６０        ・・・（１２）
【００８５】
本実施の形態の広角撮像レンズ系は、全系の焦点距離をｆ、前記第２レンズと前記第３レンズの合成焦点距離をｆ２３としたときに、下記の条件式（１３）を満たすことによって、長いバックフォーカスを確保できるとともに、良好な色収差補正が可能となる。
１．３＜ｆ２３/ｆ＜１．６５        ・・・（１３）
【００８６】
また、本実施の形態の広角撮像レンズ系は、下記の条件式（１４）を満たすことが好ま
しい。
１．４＜ｆ２３/ｆ＜１．５５        ・・・（１４）
【００８７】
［撮像装置への適用例］
図７は、広角撮像レンズ系１１を用いた撮像装置１０の構成を示す図である。撮像装置１０は、広角撮像レンズ系１１と、カバーガラス１２と、撮像素子１３と、を有する。広角撮像レンズ系１１と、カバーガラス１２と、撮像素子１３と、は筐体（不図示）に収容されている。
【００８８】
撮像素子１３は、受光した光を電気信号に変換する素子であり、例えば、ＣＣＤイメージセンサやＣＭＯＳイメージセンサが用いられる。撮像素子１３は、広角撮像レンズ系１１の焦点位置に配置されている。なお、水平画角とは、撮像素子１３の水平方向に対応する画角である。
【００８９】
カバーガラス１２は、撮像素子１３を異物から保護するために、撮像素子１３上に設けられている。
【００９０】
なお、本発明は上記実施の形態に限られたものではなく、趣旨を逸脱しない範囲で適宜変更することが可能である。例えば、本発明の広角撮像レンズ系１１の用途は、車載カメラに限定されるものではなく、監視カメラや、携帯電話等の小型電子機器に搭載するカメラ等の他の用途にも用いることができる。
【符号の説明】
【００９１】
１０  撮像装置
１１  広角撮像レンズ系
１２  カバーガラス
１３  撮像素子
Ｌ１〜Ｌ６  第１レンズ〜第６レンズ
【図１】
2020008871.tif 000014
【図２】
2020008871.tif 000015
【図３】
2020008871.tif 000016
【図４】
2020008871.tif 000017
【図５】
2020008871.tif 000018
【図６】
2020008871.tif 000019
【図７】
2020008871.tif 000020